【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
原稿搬送手段によって搬送される原稿上の画像を読み取る読取手段と、
前記読取手段によって読み取られた画像をシートに印刷する印刷手段と、
前記読取手段による画像の読み取りを行うとともに前記印刷手段によるシートへの印刷を行うためのジョブの実行指示を受け付ける受付手段と、
前記受付手段が前記ジョブの実行指示を受け付けた場合に、前記印刷手段が他のジョブに基づく印刷を実行中であるか否かを判定する判定手段と、
前記判定手段による判定の結果に従って、前記受付手段が実行指示を受け付けたジョブに基づく前記読取手段による画像の読取解像度を決定する決定手段と、
を備えることを特徴とする画像読取装置。
【請求項２】
前記決定手段は、前記印刷手段が前記他のジョブに基づく印刷を実行中でないと判定された場合は前記読取解像度を第１解像度に決定し、前記印刷手段が前記他のジョブに基づく印刷を実行中であると判定された場合は前記読取解像度を前記第１解像度よりも高い第２解像度に決定することを特徴とする請求項１に記載の画像読取装置。
【請求項３】
ユーザによって載置された１枚の原稿上の画像を前記原稿搬送手段を用いずに前記読取手段が読み取る場合は、前記読取手段は前記第２解像度で画像を読み取ることを特徴とする請求項２に記載の画像読取装置。
【請求項４】
前記決定手段は、ユーザによって所定のモードが設定されている場合には、前記印刷手段が前記他のジョブに基づく印刷を実行中であるか否かに関わらず前記読取解像度を前記第２解像度に決定することを特徴とする請求項２または３に記載の画像読取装置。
【請求項５】
前記決定手段は、前記印刷手段が前記他のジョブに基づく印刷を実行中であると判定された場合であっても、当該他のジョブに基づく印刷の所用時間が所定の閾値よりも短い場合には、前記読取解像度を前記第１解像度に決定することを特徴とする請求項２または３に記載の画像読取装置。
【請求項６】
原稿搬送手段によって搬送される原稿上の画像を読み取る読取手段と、
前記読取手段によって読み取られた画像をシートに印刷する印刷手段と、
前記印刷手段によるシートへの印刷を、１部に含まれる各ページをそれぞれ１枚ずつ印刷する処理を指定部数分繰り返すソートモードで行うか、同一ページを指定部数分連続して印刷する処理をページ数分繰り返すノンソートモードで行うかを判定する判定手段と、
前記判定手段による判定の結果に従って、前記読取手段による画像の読取解像度を決定する決定手段と、
を備えることを特徴とする画像読取装置。
【請求項７】
前記決定手段は、前記印刷手段によるシートへの印刷を前記ソートモードで行うと判定された場合は前記読取解像度を第１解像度に決定し、前記印刷手段によるシートへの印刷を前記ノンソートモードで行うと判定された場合は前記読取解像度を前記第１解像度よりも高い第２解像度に決定することを特徴とする請求項６に記載の画像読取装置。
【請求項８】
ユーザによって載置された１枚の原稿上の画像を前記原稿搬送手段を用いずに前記読取手段が読み取る場合は、前記読取手段は前記第２解像度で画像を読み取ることを特徴とする請求項７に記載の画像読取装置。
【請求項９】
前記決定手段は、ユーザによって所定のモードが設定されている場合には、前記印刷手段によるシートへの印刷を前記ソートモードで行うか前記ノンソートモードで行うかに関わらず前記読取解像度を前記第２解像度に決定することを特徴とする請求項７または８に記載の画像読取装置。
【請求項１０】
前記原稿搬送手段は、ユーザによって載置された複数枚の原稿を自動的に順次搬送する手段であることを特徴とする請求項１乃至９のいずれか１項に記載の画像読取装置。
【請求項１１】
原稿搬送手段によって搬送される原稿上の画像を読み取る読取手段と、前記読取手段によって読み取られた画像をシートに印刷する印刷手段と、を備えた画像読取装置の制御方法であって、
前記読取手段による画像の読み取りを行うとともに前記印刷手段によるシートへの印刷を行うためのジョブの実行指示を受け付ける受付工程と、
前記受付工程で前記ジョブの実行指示を受け付けた場合に、前記印刷手段が他のジョブに基づく印刷を実行中であるか否かを判定する判定工程と、
前記判定工程における判定の結果に従って、前記受付工程で実行指示を受け付けたジョブに基づく前記読取手段による画像の読取解像度を決定する決定工程と、
を備える画像読取装置の制御方法。
【請求項１２】
原稿搬送手段によって搬送される原稿上の画像を読み取る読取手段と、前記読取手段によって読み取られた画像をシートに印刷する印刷手段と、を備えた画像読取装置の制御方法であって、
前記印刷手段によるシートへの印刷を、１部に含まれる各ページをそれぞれ１枚ずつ印刷する処理を指定部数分繰り返すソートモードで行うか、同一ページを指定部数分連続して印刷する処理をページ数分繰り返すノンソートモードで行うかを判定する判定工程と、
前記判定工程における判定の結果に従って、前記読取手段による画像の読取解像度を決定する決定工程と、
を備える画像読取装置の制御方法。
【請求項１３】
コンピュータを請求項１乃至１０のいずれか１項に記載の画像読取装置の各手段として機能させるためのプログラム。
【手続補正２】
【補正対象書類名】明細書
【補正対象項目名】発明の名称
【補正方法】変更
【補正の内容】
【発明の名称】画像読取装置、画像読取装置の制御方法、及びプログラム
【手続補正３】
【補正対象書類名】明細書
【補正対象項目名】０００１
【補正方法】変更
【補正の内容】
【０００１】
本発明は、画像読取装置、画像読取装置の制御方法、及びプログラムに関する。
【手続補正４】
【補正対象書類名】明細書
【補正対象項目名】０００８
【補正方法】変更
【補正の内容】
【０００８】
本発明は、上記の課題を解決するためになされたものである。本発明の目的は、他のジョブに基づく印刷を実行中であるか否か、或いは、シートへの印刷をソートモードで行うかノンソートモードで行うかに従って、異なる解像度で画像を読み取る仕組みを提供することである。
【手続補正５】
【補正対象書類名】明細書
【補正対象項目名】０００９
【補正方法】変更
【補正の内容】
【０００９】
上記目的を達成する本発明の画像読取装置は、原稿搬送手段によって搬送される原稿上の画像を読み取る読取手段と、前記読取手段によって読み取られた画像をシートに印刷する印刷手段と、前記読取手段による画像の読み取りを行うとともに前記印刷手段によるシートへの印刷を行うためのジョブの実行指示を受け付ける受付手段と、前記受付手段が前記ジョブの実行指示を受け付けた場合に、前記印刷手段が他のジョブに基づく印刷を実行中であるか否かを判定する判定手段と、前記判定手段による判定の結果に従って、前記受付手段が実行指示を受け付けたジョブに基づく前記読取手段による画像の読取解像度を決定する決定手段と、を備えることを特徴とする。また、本発明の画像読取装置は、原稿搬送手段によって搬送される原稿上の画像を読み取る読取手段と、前記読取手段によって読み取られた画像をシートに印刷する印刷手段と、前記印刷手段によるシートへの印刷を、１部に含まれる各ページをそれぞれ１枚ずつ印刷する処理を指定部数分繰り返すソートモードで行うか、同一ページを指定部数分連続して印刷する処理をページ数分繰り返すノンソートモードで行うかを判定する判定手段と、前記判定手段による判定の結果に従って、前記読取手段による画像の読取解像度を決定する決定手段と、を備えることを特徴とする。
【手続補正６】
【補正対象書類名】明細書
【補正対象項目名】００１０
【補正方法】変更
【補正の内容】
【００１０】
本発明によれば、他のジョブに基づく印刷を実行中であるか否か、或いは、シートへの印刷をソートモードで行うかノンソートモードで行うかに従って、異なる解像度で画像を読み取ることにより、印刷時間の短縮化または印刷画像の高画質化を好適に達成することができる。